(57)【要約】      （修正有）【課題】支軸に対する格別の抜け止め手段を施すことを不要にして、支軸によりリンク要素の先端に座を取り付ける際の取付作業の簡素化を図る。【解決手段】リンク要素７ａの基端を支基３に回転可能に支持させ、先端を少なくとも一部がチャネル状をなす取付部材７１の対向壁７１１間に位置づける。そして、その位置で取付部材７１の一方の対向壁７１１から他方の対向壁７１１に亘って支軸７４を貫通させ、その貫通状態を保って取付部材７１の対向壁７１１の外側面を両側から抱くように取付部材７１に座Ｚを上載し、座Ｚの適宜部位を取付部材７１に取り付けることとした。【選択図】図９
2010099490.tif 000002
【特許請求の範囲】
【請求項１】
座を、リンク要素に取り付けるようにしたものであって、
リンク要素は、基端を回転可能に支持され、先端を少なくとも一部がチャネル状をなす取付部材の対向壁間に位置づけられるものであり、その位置で取付部材の一方の対向壁から他方の対向壁に亘って支軸を貫通させ、その貫通状態を保って取付部材の対向壁の外側面を両側から抱くように当該取付部材に座を上載し、座の適宜部位を取付部材に取り付けるようにしていることを特徴とする椅子。
【請求項２】
座の下面に、下方に開口する凹所を形成し、その凹所内に取付部材を収容するようにしている請求項１記載の椅子。
【請求項３】
座が、本体である座部と、この座部を受ける座受とから構成され、座受を取付部材に上載して上方から取付具により取付部材に固定し、その座受に座部を取り付けるようにしている請求項１又は２記載の椅子。
【請求項４】
リンク要素が、座部の巾方向に離間させて配置した一対のリンク部の間に目隠し要素を架設した板状のものであり、この目隠し要素により座の下方に設けられる内部機構の一部又は全部を隠蔽するようにしている請求項１，２又は３記載の椅子。
【請求項５】
リンク要素が、座の前端部を支持するためのものである請求項１，２，３又は４記載の椅子。
【発明の詳細な説明】
【技術分野】
【０００１】
本発明は、座部にリンク要素を介して座を取り付ける際の取付構造の簡素化を図った椅子に関するものである。
【背景技術】
【０００２】
近時の椅子は、操作性や使い勝手を向上させたりコンパクト化を図ったりする等の目的から、背座を可動にし、しかもその動きを単純な円運動や直線運動ではない複雑な動きにすることが行われている。そして、そのような動きを実現するための機構として、リンク機構が採用される場合がある。
【０００３】
かかるリンク機構は、脚の上方にリンク要素を介して座を支持させるべく、リンク要素の基端を脚に回転可能に支持し、先端に座を回転可能に連結して構成されている。
【発明の概要】
【発明が解決しようとする課題】
【０００４】
ところで、かかるリンク要素への座の取り付けのために、座の下方に軸受を設け、その軸受内にリンク要素の上端を位置づけて、軸受とリンク要素の上端を支軸を用いて回転可能に連結するのが通例である。このため、支軸の両貫通端に抜け止め手段を施して連結状態に確実性を期する必要があり、取付作業が面倒であるという問題がある。また、確実な抜け止め対策を施すには前記支軸の貫通端側にある程度の突出量を確保しなければならないため、見栄えが悪く、これを隠蔽するには別途にカバー等が必要でありかつそのカバーも比較的大きなものにならざるを得ないという不都合がある。さらに、リンク要素は通常、機構的なバランスや作動の円滑性を確保するために座の下方に左右一対に設けられるため、上記の不都合は一層倍加したものになる。左右のリンク要素に共通の支軸を貫通させる場合であっても、事情はほぼ同様である。
【課題を解決するための手段】
【０００５】
本発明は、このような課題を解決するために、次のような手段を講じたものである。
【０００６】
すなわち、本発明の椅子は、座を、リンク要素に取り付けるようにしたものであって、リンク要素は、基端を回転可能に支持され、先端を少なくとも一部がチャネル状をなす取付部材の対向壁間に位置づけられるものであり、その位置で取付部材の一方の対向壁から他方の対向壁に亘って支軸を貫通させ、その貫通状態を保って取付部材の対向壁の外側面を両側から抱くように当該取付部材に座を上載し、座の適宜部位を取付部材に取り付けるようにしていることを特徴とする。
【０００７】
このようなものであれば、リンク要素の先端を取付部材の対向壁間に位置づけて、リンク要素を貫通して対向壁間に支軸を架け渡し、その状態で対向壁を抱くように座を上載した段階で、支軸は座によって対向壁から抜け出ることが禁止される。したがって、支軸に対する格別の抜け止め手段を施すことが不要になり、取り付け構造の簡素化を図ることができる。また、支軸の貫通端側の突出量を必要以上に大きく確保する必要がないので、連結部分のコンパクト化も図ることができる。
【０００８】
リンク要素の先端を同時に隠蔽できるようにするためには、座の下面に、下方に開口する凹所を形成し、その凹所内に取付部材を収容しておくことが望ましい。
【０００９】
取り付けを一層簡素なものにするためには、座が、本体である座部と、この座部を受ける座受とから構成され、座受を取付部材に上載して上方から取付具により取付部材に固定し、その座受に座部を取り付けるようにしていることが望ましい。
【００１０】
リンク要素の挙動を確実なものにすると同時に、コンパクトな構成を通じて椅子の外観を有効に向上させるためには、リンク要素を、座部の巾方向に離間させて配置した一対のリンク部の間に目隠し要素を架設した板状のものとし、この目隠し要素により座の下方に設けられる内部機構の一部又は全部を隠蔽するようにしていることが好ましい。ここで「内部機構」とは、リンク部間に配置される駆動機構や伝達機構等のことである。
【００１１】
本発明の好適な適用例としては、リンク要素が、座の前端部を支持するためのものである場合が挙げられる。
【発明の効果】
【００１２】
本発明は、以上説明した構成であるから、支軸に対する格別の抜け止め手段を施すことを不要にして、支軸によりリンク要素の先端に座を取り付ける際の取付作業の簡素化を図ることができる。また、支軸の貫通端側の突出量を必要以上に大きく確保する必要がないので、連結部分のコンパクト化も図ることができる。したがって、本発明は、座の前端側を支持するリンク要素などに適用して極めて有用なものとなり得る。
【図面の簡単な説明】
【００１３】
【図１】本発明の一実施形態を示す側面図。
【図２】同正面図。
【図３】同部分分解斜視図。
【図４】同作用説明図。
【図５】同作用説明図。
【図６】同作用説明図。
【図７】同実施形態を座部を取り除いて示す平面図。
【図８】同実施形態の座部を示す底面図。
【図９】同実施形態の要部分解斜視図。
【図１０】同要部断面図。
【発明を実施するための形態】
【００１４】
以下、本発明の一実施形態について図面を参照して説明する。図１及び図２は本発明の一実施形態を示す椅子１の側面図及び正面図であり、図３は一部の機構部分を示す部分分解斜視図、図４〜図６はこの椅子の作用説明図である。
【００１５】
この椅子１は、ベース脚２に背もたれ部５及び座部６を支持させてなるもので、執務等に適した使用姿勢をとることができるのみならず、安息やリフレッシュに適した姿勢等を適宜選択的にとることをも可能にするために、ベース脚２に、あるいはベース脚２と背もたれ部５、座部６等との間に、背座の高さ調整を行う昇降機構Ｐ、背もたれ部５及び座部６を連動させてロッキングさせるロッキング機構Ｑ、ストレッチ等のために背もたれ部５の上方部分のみを後傾させる背もたれ上部傾動機構Ｒ、腰骨を選択的に押圧するため等に利用される背もたれ下部傾動機構Ｓ、並びに、座部６を前後移動させる座前後調整機構Ｔを設けている。
【００１６】
具体的に説明すると、ベース脚２は、脚羽根２０の中心から上方に向けて回転軸２１を突出させたもので、その上に支持される座部６及び背もたれ部５を回転軸２１周りに旋回動作させ得るようにしている。昇降機構Ｐは、前記ベース脚２の回転軸２１にガススプリング２２を組み込み、このガススプリング２２を適宜作動させることによって背座を作動範囲の任意の昇降位置にロックできるようにしているものである。
【００１７】
背もたれ部５は、背もたれ下部フレーム５０と、背もたれ上部フレーム５５と、これら両フレーム５０，５５の間に図示しない弾性部材を介して架け渡した張り部材８とを具備してなるもので、両フレーム５０、５５は、ともにリンク要素７ｂの内側部分に設けられた回転軸７２に回転可能に取り付けられている。
【００１８】
座部６は、着座者の大腿部に対応する窪みを有するクッション体６０と、そのクッション体６０の下方を支持するシェル６１とを備えている。
【００１９】
一方、ロッキング機構Ｑは、ベース脚２に取り付けた支基３と、座部６を支持する座受４と、これら支基３と座受４との間を連結するリンク要素７ａ、７ｂとからなる不等辺の四辺リンク機構を主体とし、これにリンク要素７ａを適宜位置に固定するガススプリング３１を付帯させて構成されている。本発明の座Ｚは、これら座部６と座受４によって構成されるものである。
【００２０】
支基３は、アルミダイキャスト等の剛性部材により構成されたＶ字状をなすもので、その基端を前記回転軸２１に固定し、先端を斜め上方に突出させている。この支基３の斜辺中央部の下面には、図示しない回転軸を通じてねじり方向の弾性力の蓄積、放出が可能なトーションバー７０が設けてある。
【００２１】
座受４は、前記座部６のシェル６１を支持すべく、アルミなどの金属部材によって面状に成形されたもので、この座受４の左右両側部に、肘桿９を取り付けるための肘桿取付部４４（図７参照）を設けている。
【００２２】
リンク要素７ａは、一端を支基３の前方に回転軸３０を介して回転可能に取り付け、他端を座受４の前方裏面に支軸７４を介して回転可能に取り付けた板状のものである。
【００２３】
リンク要素７ｂは、一端を支基３の斜辺中央部に設けた前記トーションバー７０の回転軸に固定し、他端を座受４の後端側に設けた回転軸７９に回転可能に連結したもので、通常、このリンク要素７ｂには上述した背もたれ下部フレーム５０及び背もたれ上部フレーム５５が回転軸７２回りの回転機能を停止させられた状態で一体的に固定され、リンク要素７ｂと共にトーションバー７０の回転軸回りに回転し得るものである。
【００２４】
ガススプリング３１は、リンク要素７ａと支基３との間に設けられたもので、選択的にリンク要素７ａを固定することによって、四辺リンク機構全体をロックするようにしている。
【００２５】
また、背もたれ上部傾動機構Ｒは、前記背もたれ上部フレーム５５の回転軸７２回りの回転を許容されることによって機能するもので、具体的にはロック機構ｒと、バネ部材７３とから構成されている。
【００２６】
ロック機構ｒは、図３に示すように、リンク要素７ｂの上方に設けた孔部７７と、背もたれ上部フレーム５５に取り付けた側面視略ひし形のブラケット５５０に設けた孔部５５１と、通常はこれら両孔部７７に跨る位置に配置され選択的に前記孔部５５１から引き抜くことによって背もたれ上部フレーム５５とリンク要素７ｂとの拘束を解除するピン７６とから構成されるものである。背もたれ上部フレーム５５の下端部内側に位置するブラケット５５０の内側には、リンク７ｂと一体をなすように同形状のブラケット７ｂ１が設けてあり、これらブラケット５５０，７ｂ１を重ね合わせて、孔部５５１の内側に孔部７７を位置させて、ピン７６を挿入するようにしている。しかして、ピン７６が両孔部７７、５５１に挿入されている状態においてはリンク要素７ｂと背もたれ上部フレーム５５とは拘束されて一体的に動き、また、このピン７６を孔部５５１から引き抜くことによって、上記の拘束を解除して背もたれ上部フレーム５５のみが回転軸７２を中心として独自に回転し得るようにしている。
【００２７】
バネ部材７３は、背もたれ上部フレーム５５に傾動時に弾性を付与するためのもので、背もたれ上部フレーム５５を起立方向に押圧している。
【００２８】
さらに、背もたれ下部傾動機構Ｓは、前記背もたれ下部フレーム５０を利用したもので、この背もたれ下部フレーム５０を回転軸７２を支点にして前方に押し付け得る位置に図示しないガススプリングを設けている。
【００２９】
また、座前後移動機構Ｔは、座受４とシェル６１との間に図７及び図８に示すラック４１、ピニオン６３を配置して、座受４に対する座部の前後スライド移動を案内するようにしたものである。
【００３０】
しかして、座受４の前方側端部には、座部６を取り付けた状態で以上の諸機構Ｐ〜Ｔを選択的に活用すべく、図７に示すようにレバー４３ａ、４３ｂ、４３ｃが設けてある。レバー４３ａは図４に示すように座部６を昇降させるためのものであり、レバー４３ｂは図６に示すように背もたれ下部フレーム５０のみを後傾させるものであり、レバー４３ｃは図５に示すように座部６及び背もたれ上部フレーム５５，背もたれ下部フレーム５０全体を連動させてロッキングさせるためのものである。背もたれ上部フレーム５５のみの傾動は、非ロッキング時においてのみレバー操作なしで行うことができる。
【００３１】
以上のような構成において、本実施形態は、座受４の前端部を支持するリンク要素７ａに、図９及び図１０に示す取付部材７１を取り付け、この取付部材７１に座を構成する座受４を固定するようにしている。
【００３２】
リンク要素７ａは、座の巾方向に離間させて配置した一対のリンク部７０１の間に目隠し要素７０２を架設した板状のもので、本実施形態においてこれらリンク部７０１及び目隠し要素７０２は樹脂により一体成形されている。そして、このリンク要素７ａの基端を支基３に回転可能に支持させている。リンク部７０１の先端には軸貫通孔７０１ａが設けてあり、目隠し要素７０２はこれら軸貫通孔７０１ａを塞がないようにそれよりも基端側においてリンク部７０１間を連結している。
【００３３】
一方、取付部材７１は、下向きチャネル状のもので、対向壁間７１１の内法寸法が前記リンク要素７ａを比較的に密接に収容し得る値に設定されており、その対向壁７１１にリンク要素７ａの軸貫通孔７０１ａに合致する軸貫通孔７１１ａが設けてあるとともに、その頂壁７１２に座受４を取り付けるためのねじ孔７１２ａが設けてある。
【００３４】
また、座受４は、その下面４ａに、前記取付部材７１の頂壁７１２及び対向壁７１１の一部を収容し得る凹部４ｂが設けてあり、更に下面４ａに、下方に向けて一対の突出片４ｃが突出させて設けてある。この場合、凹部４ｂの巾方向の内壁と突出片４ｃの内壁とは略面一に連続しており、その内法寸法は前記取付部材７１の対向壁７１１間の外法寸法に略合致させてある。
【００３５】
そして、取付部材７１の一方の対向壁７１１、リンク要素７ａ、取付部材７１の他方の対向壁７１１の順にそれらの軸貫通孔７１１ａ、７０１ａに支軸７４を貫通させ、その貫通状態を保って取付部材７１の対向壁７１１の外側面を突出片４ｃによって両側から抱くように、そして凹部４ｂ内に取付部材７１の頂壁７１２及び対向壁７１１の一部を収容するようにして座受４を上載し、その座受４に設けたねじ通過孔４ｄに上方から通過させた取付具たるねじｖを取付部材７１のねじ孔７１２ａにねじ止めすることによって、リンク要素７ａに取付部材７１を介して座受４を取り付けている。
【００３６】
そして、この座受４に座部６を取り付けている。座部６は前述したようにクッション体６０とシェル６１からなるものであり、このシェル６１を座受４に着脱可能に取り付けることを可能にするために、図８に示すようにシェル６１の下面の前端側及び後端側に突出部６２ｆ、６２ｂが設けてある。一方、座受４は、その平面部分であって前記突出部６２ｆ、６２ｂの対応位置に、図７に示すように前後方向に延びる長孔部４０ｆ、４０ｂが設けてある。そして、この長孔部４０ｆ、４０ｂに前記シェル６１の突出部６２ｆ、６２ｂを挿入し、その挿入端側に適宜の抜け止め構造を採用することによって、上方への離脱を規制している。
【００３７】
以上のように構成される本実施形態の椅子は、座Ｚを、リンク要素７ａに取り付ける際に、リンク要素７ａは、基端を回転可能に支持され、先端を少なくとも一部がチャネル状をなす取付部材７１の対向壁７１１間に位置づけられるものである。そして、その位置で取付部材７１の一方の対向壁７１１から他方の対向壁７１１に亘って支軸７４を貫通させ、その貫通状態を保って取付部材７１の対向壁７１１の外側面を両側から抱くように当該取付部材７１に座Ｚを上載し、座Ｚの適宜部位を取付部材７１に取り付けるようにしている。
【００３８】
このため、リンク要素７ｂの先端を取付部材７１の対向壁７１１間に位置づけて、リンク要素７ｂを貫通して対向壁７１１間に支軸７４を架け渡し、その状態で対向壁７１１を抱くように座Ｚを上載した段階で、支軸７４は座Ｚによって対向壁７１１から抜け出ることが禁止される。したがって、本実施形態においては、支軸７４に対する格別の抜け止め手段を施すことが不要であり、取り付け構造の簡素化を図ることができる。また、支軸７４の貫通端側の突出量を必要以上に大きく確保する必要がないので、連結部分が必要以上に大型化することも有効に回避することができる。
【００３９】
しかも、座Ｚの下面に、下方に開口する凹所４ｂを形成し、その凹所４ｂ内に取付部材７１を収容するようにしているため、リンク要素７ａの先端を同時に隠蔽することができ、極力外観を損ねない構成とすることができる。
【００４０】
特にこの実施形態は、座Ｚを、本体である座部６と、この座部６を受ける座受４とから構成し、座受４を取付部材７１に上載して上方から取付具たるねじｖにより取付部材７１に固定し、その座受４に座部６を取り付けるようにしているため、支軸７４に抜け止め対策を施すことがない点とも相まって、上方から視認し易い状態で順次取り付け作業を進めることができ、作業の一層の簡素化を図ることができる。
【００４１】
とりわけ、リンク要素７ａを、座部６の巾方向に離間させて配置した一対のリンク部７０１の間に目隠し要素７０２を架設した板状のものとしているので、この目隠し要素７０２により座Ｚの下方に設けられる内部機構の一部又は全部を隠蔽して椅子の外観を向上させることができるだけでなく、一対のリンク部７０１を完全同期させてリンク要素７ａの剛性を高めると同時にその挙動を確実なものにすることができる。
【００４２】
以上により、本発明の特徴であるリンク要素の取付構造は、比較的複雑な作動を司り、強度が要求され、目立ちやすい位置に配置される前端側のリンク要素７ａに適用して極めて有用なものとなり得る。
【００４３】
なお、各部の具体的な構成は、上述した実施形態のみに限定されるものではなく、本発明の趣旨を逸脱しない範囲で種々変形が可能である。
【符号の説明】
【００４４】
４…座受
４ｂ…凹所
６…座部
７ａ…リンク要素
７１…取付部材
７４…支軸
７０１…リンク部
７０２…目隠し要素
７１１…対向壁
ｖ…取付具（ねじ）
Ｚ…座
【図１】
2010099490.tif 000003
【図２】
2010099490.tif 000004
【図３】
2010099490.tif 000005
【図４】
2010099490.tif 000006
【図５】
2010099490.tif 000007
【図６】
2010099490.tif 000008
【図７】
2010099490.tif 000009
【図８】
2010099490.tif 000010
【図９】
2010099490.tif 000011
【図１０】
2010099490.tif 000012
【手続補正書】
【提出日】平成22年1月22日(2010.1.22)
【手続補正１】
【補正対象書類名】明細書
【補正対象項目名】全文
【補正方法】変更
【補正の内容】
【発明の詳細な説明】
【技術分野】
【０００１】
本発明は、座部にリンク要素を介して座を取り付ける際の取付構造の簡素化を図った椅子に関するものである。
【背景技術】
【０００２】
近時の椅子は、操作性や使い勝手を向上させたりコンパクト化を図ったりする等の目的から、背座を可動にし、しかもその動きを単純な円運動や直線運動ではない複雑な動きにすることが行われている。そして、そのような動きを実現するための機構として、リンク機構が採用される場合がある。
【０００３】
かかるリンク機構は、脚の上方にリンク要素を介して座を支持させるべく、リンク要素の基端を脚側に回転可能に支持し、先端を座に回転可能に連結して構成されている。
【発明の概要】
【発明が解決しようとする課題】
【０００４】
ところで、かかるリンク要素への座の取り付けのために、座の下方に軸受を設け、その軸受内にリンク要素の上端を位置づけて、軸受とリンク要素の上端を支軸を用いて回転可能に連結するのが通例である。また、確実な抜け止め対策を施すには前記支軸の貫通端側にある程度の突出量を確保しなければならないため、見栄えが悪く、これを隠蔽するには別途にカバー等が必要でありかつそのカバーも比較的大きなものにならざるを得ないという不都合がある。さらに、リンク要素は通常、機構的なバランスや作動の円滑性を確保するために座の下方に左右一対に設けられる。そのため、座の下方に設けられる内部機構の一部又は全部が視認可能となり、椅子の外観が損なわれる。
【課題を解決するための手段】
【０００５】
本発明は、このような課題を解決するために、次のような手段を講じたものである。
【０００６】
すなわち、本発明の椅子は、ベース脚に背もたれ部及び座を支持させてなり、背もたれ部及び座を連動させてロッキングさせるロッキング機構を構成してなり、前記ロッキング機構は、前記ベース脚に取り付けた支基の前方と座との間を連結するリンク要素を備え、前記座の下面に、下方に開口する凹所を形成し、その凹所内に取付部材を収容するようにしており、前記リンク要素は、座の巾方向に離間させて配置した一対のリンク部の間に目隠し要素を架設したもので、基端を支基に回転可能に支持され、支軸を設けた先端を前記取付部材とともに凹所内に位置づけられるものであり、座をリンク要素に上載した状態で前記支軸が前記取付部材によって凹所内に保持されるように構成したことを特徴とする。
【０００７】
このようなものであれば、リンク要素の先端が凹所内に隠蔽することができ、極力外観を損ねない構成とすることができる。また、リンク要素を目隠し要素を架設したものとしているので、この目隠し要素により座の下方に設けられる内部機構の一部又は全部を隠蔽して椅子の外観を向上させることができるだけでなく、一対のリンク部が同期するようにリンク要素の剛性を高めると同時にその挙動を確実なものにすることができる。
【０００８】
リンク要素の先端を同時に隠蔽できるようにするためには、座の下面に、下方に開口する凹所を形成し、その凹所内に取付部材を収容している。
【０００９】
好ましい構成としては、座が、本体である座部と、この座部を受ける座受とから構成され、前記座受は、その下面に前記取付部材の一部を収容し得る前記凹所を設けているものを挙げることができる。
【００１０】
なお、本発明では、リンク要素の挙動を確実なものにすると同時に、コンパクトな構成を通じて椅子の外観を有効に向上させるために、リンク要素を、座部の巾方向に離間させて配置した一対のリンク部の間に目隠し要素を架設したものとしている。
【００１１】
本発明の好適な適用例としては、リンク要素が、座の前端部を支持するためのものである場合が挙げられる。
【発明の効果】
【００１２】
本発明は、以上説明した構成であるから、リンク要素の先端が凹所内に隠蔽することができ、極力外観を損ねない構成とすることができる。また、リンク要素を目隠し要素を架設したものとしているので、この目隠し要素により座の下方に設けられる内部機構の一部又は全部を隠蔽して椅子の外観を向上させることができるだけでなく、一対のリンク部が同期するようにリンク要素の剛性を高めると同時にその挙動を確実なものにすることができる。
【図面の簡単な説明】
【００１３】
【図１】本発明の一実施形態を示す側面図。
【図２】同正面図。
【図３】同部分分解斜視図。
【図４】同作用説明図。
【図５】同作用説明図。
【図６】同作用説明図。
【図７】同実施形態を座部を取り除いて示す平面図。
【図８】同実施形態の座部を示す底面図。
【図９】同実施形態の要部分解斜視図。
【図１０】同要部断面図。
【発明を実施するための形態】
【００１４】
以下、本発明の一実施形態について図面を参照して説明する。図１及び図２は本発明の一実施形態を示す椅子１の側面図及び正面図であり、図３は一部の機構部分を示す部分分解斜視図、図４〜図６はこの椅子の作用説明図である。
【００１５】
この椅子１は、ベース脚２に背もたれ部５及び座部６を支持させてなるもので、執務等に適した使用姿勢をとることができるのみならず、安息やリフレッシュに適した姿勢等を適宜選択的にとることをも可能にするために、ベース脚２に、あるいはベース脚２と背もたれ部５、座部６等との間に、背座の高さ調整を行う昇降機構Ｐ、背もたれ部５及び座部６を連動させてロッキングさせるロッキング機構Ｑ、ストレッチ等のために背もたれ部５の上方部分のみを後傾させる背もたれ上部傾動機構Ｒ、腰骨を選択的に押圧するため等に利用される背もたれ下部傾動機構Ｓ、並びに、座部６を前後移動させる座前後調整機構Ｔを設けている。
【００１６】
具体的に説明すると、ベース脚２は、脚羽根２０の中心から上方に向けて回転軸２１を突出させたもので、その上に支持される座部６及び背もたれ部５を回転軸２１周りに旋回動作させ得るようにしている。昇降機構Ｐは、前記ベース脚２の回転軸２１にガススプリング２２を組み込み、このガススプリング２２を適宜作動させることによって背座を作動範囲の任意の昇降位置にロックできるようにしているものである。
【００１７】
背もたれ部５は、背もたれ下部フレーム５０と、背もたれ上部フレーム５５と、これら両フレーム５０，５５の間に図示しない弾性部材を介して架け渡した張り部材８とを具備してなるもので、両フレーム５０、５５は、ともにリンク要素７ｂの内側部分に設けられた回転軸７２に回転可能に取り付けられている。
【００１８】
座部６は、着座者の大腿部に対応する窪みを有するクッション体６０と、そのクッション体６０の下方を支持するシェル６１とを備えている。
【００１９】
一方、ロッキング機構Ｑは、ベース脚２に取り付けた支基３と、座部６を支持する座受４と、これら支基３と座受４との間を連結するリンク要素７ａ、７ｂとからなる不等辺の四辺リンク機構を主体とし、これにリンク要素７ａを適宜位置に固定するガススプリング３１を付帯させて構成されている。本発明の座Ｚは、これら座部６と座受４によって構成されるものである。
【００２０】
支基３は、アルミダイキャスト等の剛性部材により構成されたＶ字状をなすもので、その基端を前記回転軸２１に固定し、先端を斜め上方に突出させている。この支基３の斜辺中央部の下面には、図示しない回転軸を通じてねじり方向の弾性力の蓄積、放出が可能なトーションバー７０が設けてある。
【００２１】
座受４は、前記座部６のシェル６１を支持すべく、アルミなどの金属部材によって面状に成形されたもので、この座受４の左右両側部に、肘桿９を取り付けるための肘桿取付部４４（図７参照）を設けている。
【００２２】
リンク要素７ａは、一端を支基３の前方に回転軸３０を介して回転可能に取り付け、他端を座受４の前方裏面に支軸７４を介して回転可能に取り付けた板状のものである。
【００２３】
リンク要素７ｂは、一端を支基３の斜辺中央部に設けた前記トーションバー７０の回転軸に固定し、他端を座受４の後端側に設けた回転軸７９に回転可能に連結したもので、通常、このリンク要素７ｂには上述した背もたれ下部フレーム５０及び背もたれ上部フレーム５５が回転軸７２回りの回転機能を停止させられた状態で一体的に固定され、リンク要素７ｂと共にトーションバー７０の回転軸回りに回転し得るものである。
【００２４】
ガススプリング３１は、リンク要素７ａと支基３との間に設けられたもので、選択的にリンク要素７ａを固定することによって、四辺リンク機構全体をロックするようにしている。
【００２５】
また、背もたれ上部傾動機構Ｒは、前記背もたれ上部フレーム５５の回転軸７２回りの回転を許容されることによって機能するもので、具体的にはロック機構ｒと、バネ部材７３とから構成されている。
【００２６】
ロック機構ｒは、図３に示すように、リンク要素７ｂの上方に設けた孔部７７と、背もたれ上部フレーム５５に取り付けた側面視略ひし形のブラケット５５０に設けた孔部５５１と、通常はこれら両孔部７７に跨る位置に配置され選択的に前記孔部５５１から引き抜くことによって背もたれ上部フレーム５５とリンク要素７ｂとの拘束を解除するピン７６とから構成されるものである。背もたれ上部フレーム５５の下端部内側に位置するブラケット５５０の内側には、リンク７ｂと一体をなすように同形状のブラケット７ｂ１が設けてあり、これらブラケット５５０，７ｂ１を重ね合わせて、孔部５５１の内側に孔部７７を位置させて、ピン７６を挿入するようにしている。しかして、ピン７６が両孔部７７、５５１に挿入されている状態においてはリンク要素７ｂと背もたれ上部フレーム５５とは拘束されて一体的に動き、また、このピン７６を孔部５５１から引き抜くことによって、上記の拘束を解除して背もたれ上部フレーム５５のみが回転軸７２を中心として独自に回転し得るようにしている。
【００２７】
バネ部材７３は、背もたれ上部フレーム５５に傾動時に弾性を付与するためのもので、背もたれ上部フレーム５５を起立方向に押圧している。
【００２８】
さらに、背もたれ下部傾動機構Ｓは、前記背もたれ下部フレーム５０を利用したもので、この背もたれ下部フレーム５０を回転軸７２を支点にして前方に押し付け得る位置に図示しないガススプリングを設けている。
【００２９】
また、座前後移動機構Ｔは、座受４とシェル６１との間に図７及び図８に示すラック４１、ピニオン６３を配置して、座受４に対する座部の前後スライド移動を案内するようにしたものである。
【００３０】
しかして、座受４の前方側端部には、座部６を取り付けた状態で以上の諸機構Ｐ〜Ｔを選択的に活用すべく、図７に示すようにレバー４３ａ、４３ｂ、４３ｃが設けてある。レバー４３ａは図４に示すように座部６を昇降させるためのものであり、レバー４３ｂは図６に示すように背もたれ下部フレーム５０のみを後傾させるものであり、レバー４３ｃは図５に示すように座部６及び背もたれ上部フレーム５５，背もたれ下部フレーム５０全体を連動させてロッキングさせるためのものである。背もたれ上部フレーム５５のみの傾動は、非ロッキング時においてのみレバー操作なしで行うことができる。
【００３１】
以上のような構成において、本実施形態は、座受４の前端部を支持するリンク要素７ａに、図９及び図１０に示す取付部材７１を取り付け、この取付部材７１に座を構成する座受４を固定するようにしている。
【００３２】
リンク要素７ａは、座の巾方向に離間させて配置した一対のリンク部７０１の間に目隠し要素７０２を架設した板状のもので、本実施形態においてこれらリンク部７０１及び目隠し要素７０２は樹脂により一体成形されている。そして、このリンク要素７ａの基端を支基３に回転可能に支持させている。リンク部７０１の先端には軸貫通孔７０１ａが設けてあり、目隠し要素７０２はこれら軸貫通孔７０１ａを塞がないようにそれよりも基端側においてリンク部７０１間を連結している。
【００３３】
一方、取付部材７１は、下向きチャネル状のもので、対向壁間７１１の内法寸法が前記リンク要素７ａを比較的に密接に収容し得る値に設定されており、その対向壁７１１にリンク要素７ａの軸貫通孔７０１ａに合致する軸貫通孔７１１ａが設けてあるとともに、その頂壁７１２に座受４を取り付けるためのねじ孔７１２ａが設けてある。
【００３４】
また、座受４は、その下面４ａに、前記取付部材７１の頂壁７１２及び対向壁７１１の一部を収容し得る凹所４ｂが設けてあり、更に下面４ａに、下方に向けて一対の突出片４ｃが突出させて設けてある。この場合、凹所４ｂの巾方向の内壁と突出片４ｃの内壁とは略面一に連続しており、その内法寸法は前記取付部材７１の対向壁７１１間の外法寸法に略合致させてある。
【００３５】
そして、取付部材７１の一方の対向壁７１１、リンク要素７ａ、取付部材７１の他方の対向壁７１１の順にそれらの軸貫通孔７１１ａ、７０１ａに支軸７４を貫通させ、その貫通状態を保って取付部材７１の対向壁７１１の外側面を突出片４ｃによって両側から抱くように、そして凹所４ｂ内に取付部材７１の頂壁７１２及び対向壁７１１の一部を収容するようにして座受４を上載し、その座受４に設けたねじ通過孔４ｄに上方から通過させた取付具たるねじｖを取付部材７１のねじ孔７１２ａにねじ止めすることによって、リンク要素７ａに取付部材７１を介して座受４を取り付けている。
【００３６】
そして、この座受４に座部６を取り付けている。座部６は前述したようにクッション体６０とシェル６１からなるものであり、このシェル６１を座受４に着脱可能に取り付けることを可能にするために、図８に示すようにシェル６１の下面の前端側及び後端側に突出部６２ｆ、６２ｂが設けてある。一方、座受４は、その平面部分であって前記突出部６２ｆ、６２ｂの対応位置に、図７に示すように前後方向に延びる長孔部４０ｆ、４０ｂが設けてある。そして、この長孔部４０ｆ、４０ｂに前記シェル６１の突出部６２ｆ、６２ｂを挿入し、その挿入端側に適宜の抜け止め構造を採用することによって、上方への離脱を規制している。
【００３７】
以上のように構成される本実施形態の椅子は、座Ｚを、リンク要素７ａに取り付ける際に、リンク要素７ａは、基端を回転可能に支持され、先端を少なくとも一部がチャネル状をなす取付部材７１の対向壁７１１間に位置づけられるものである。そして、その位置で取付部材７１の一方の対向壁７１１から他方の対向壁７１１に亘って支軸７４を貫通させ、その貫通状態を保って取付部材７１の対向壁７１１の外側面を両側から抱くように当該取付部材７１に座Ｚを上載し、座Ｚの適宜部位を取付部材７１に取り付けるようにしている。
【００３８】
このため、リンク要素７ｂの先端を取付部材７１の対向壁７１１間に位置づけて、リンク要素７ｂを貫通して対向壁７１１間に支軸７４を架け渡し、その状態で対向壁７１１を抱くように座Ｚを上載した段階で、支軸７４は座Ｚによって対向壁７１１から抜け出ることが禁止される。したがって、本実施形態においては、支軸７４に対する格別の抜け止め手段を施すことが不要であり、取り付け構造の簡素化を図ることができる。また、支軸７４の貫通端側の突出量を必要以上に大きく確保する必要がないので、連結部分が必要以上に大型化することも有効に回避することができる。
【００３９】
しかも、座Ｚの下面に、下方に開口する凹所４ｂを形成し、その凹所４ｂ内に取付部材７１を収容するようにしているため、リンク要素７ａの先端を同時に隠蔽することができ、極力外観を損ねない構成とすることができる。
【００４０】
特にこの実施形態は、座Ｚを、本体である座部６と、この座部６を受ける座受４とから構成し、座受４を取付部材７１に上載して上方から取付具たるねじｖにより取付部材７１に固定し、その座受４に座部６を取り付けるようにしているため、支軸７４に抜け止め対策を施すことがない点とも相まって、上方から視認し易い状態で順次取り付け作業を進めることができ、作業の一層の簡素化を図ることができる。
【００４１】
とりわけ、リンク要素７ａを、座部６の巾方向に離間させて配置した一対のリンク部７０１の間に目隠し要素７０２を架設した板状のものとしているので、この目隠し要素７０２により座Ｚの下方に設けられる内部機構の一部又は全部を隠蔽して椅子の外観を向上させることができるだけでなく、一対のリンク部７０１を完全同期させてリンク要素７ａの剛性を高めると同時にその挙動を確実なものにすることができる。
【００４２】
以上により、本発明の特徴であるリンク要素の取付構造は、比較的複雑な作動を司り、強度が要求され、目立ちやすい位置に配置される前端側のリンク要素７ａに適用して極めて有用なものとなり得る。
【００４３】
なお、各部の具体的な構成は、上述した実施形態のみに限定されるものではなく、本発明の趣旨を逸脱しない範囲で種々変形が可能である。
【符号の説明】
【００４４】
４…座受
４ｂ…凹所
６…座部
７ａ…リンク要素
７１…取付部材
７４…支軸
７０１…リンク部
７０２…目隠し要素
７１１…対向壁
ｖ…取付具（ねじ）
Ｚ…座
【手続補正２】
【補正対象書類名】特許請求の範囲
【補正対象項目名】全文
【補正方法】変更
【補正の内容】
【特許請求の範囲】
【請求項１】
ベース脚に背もたれ部及び座を支持させてなり、背もたれ部及び座を連動させてロッキングさせるロッキング機構を構成してなり、
前記ロッキング機構は、前記ベース脚に取り付けた支基の前方と座との間を連結するリンク要素を備え、
前記座の下面に、下方に開口する凹所を形成し、その凹所内に取付部材を収容するようにしており、
前記リンク要素は、座の巾方向に離間させて配置した一対のリンク部の間に目隠し要素を架設した板状のもので、基端を支基に回転可能に支持され、支軸を設けた先端を前記取付部材とともに凹所内に位置づけられるものであり、
座をリンク要素に上載した状態で前記支軸が前記取付部材によって凹所内に保持されるように構成したことを特徴とする椅子。
【請求項２】
座が、本体である座部と、この座部を受ける座受とから構成され、前記座受は、その下面に前記取付部材の一部を収容し得る前記凹所を設けている請求項１記載の椅子。